(57)【要約】      （修正有）【課題】着脱可能ＨＤＭＩ入力を備えたＤＴＶを提供する。【解決手段】テレビ受信機に結合されたＨＤＭＩインタフェースと、ＨＤＭＩインターフェイスに動作可能に結合されるとともに、２つのユーザ側ＨＤＭＩバスが接続する着脱可能ＨＤＭＩスイッチと、２つのユーザ側ＨＤＭＩコネクタポートを露出するＨＤＭＩスイッチハウジング内に存在する前記着脱可能ＨＤＭＩスイッチとを備え、着脱可能ＨＤＭＩスイッチハウジングをテレビ受信機筐体に着脱可能に接続して、ＨＤＭＩスイッチハウジングをテレビ受信機筐体に取り付けてテレビ受信機筐体側で使用できるようにするか、ＨＤＭＩスイッチハウジングを前記テレビ受信機筐体と分離して、ＨＤＭＩスイッチハウジングをテレビ受信機筐体から離して置くことにより、テレビ装置がＨＤＭＩコネクタポートを選択できると同時に、ＨＤＭＩコネクタポートに遠隔でアクセスできるようにする。【選択図】図３
2010050983.tif 000002
【特許請求の範囲】
【請求項１】
テレビ装置であって、
実質的にテレビ受信機筐体内に存在するテレビ受信機と、
前記テレビ受信機に結合された高品位マルチメディアインターフェイス（ＨＤＭＩ）と、
前記ＨＤＭＩインターフェイスに動作可能に結合されるとともに、少なくとも２つのユーザ側ＨＤＭＩバスが接続する着脱可能ＨＤＭＩスイッチと、
前記少なくとも２つのユーザ側ＨＤＭＩコネクタポートを露出するＨＤＭＩスイッチハウジング内に存在する前記着脱可能ＨＤＭＩスイッチと、
を備え、
前記着脱可能ＨＤＭＩスイッチハウジングを前記テレビ受信機筐体に着脱可能に接続して、前記ＨＤＭＩスイッチハウジングを前記テレビ受信機筐体に取り付けて該テレビ受信機筐体側で使用できるようにするか、或いは前記ＨＤＭＩスイッチハウジングを前記テレビ受信機筐体と分離して、前記ＨＤＭＩスイッチハウジングを前記テレビ受信機筐体から離して置くことにより、前記テレビ装置が前記ＨＤＭＩコネクタポートを選択できると同時に、該ＨＤＭＩコネクタポートに遠隔でアクセスできるようにする、
ことを特徴とするテレビ装置。
【請求項２】
前記着脱可能ＨＤＭＩスイッチを前記テレビ受信機筐体に結合するケーブルをさらに備える、
ことを特徴とする請求項１に記載のテレビ装置。
【請求項３】
前記ケーブルはＨＤＭＩケーブルを含む、
ことを特徴とする請求項２に記載のテレビ装置。
【請求項４】
前記テレビ受信機ハウジング内に存在する前記テレビ受信機に結合されるとともに、前記テレビ受信機筐体の外部からアクセス可能な少なくとも１つのユーザ側ＨＤＭＩコネクタポートを有するＨＤＭＩスイッチをさらに備える、
ことを特徴とする請求項１に記載のテレビ装置。
【請求項５】
前記テレビ受信機筐体内に存在する前記ＨＤＭＩスイッチは、前記着脱可能ＨＤＭＩスイッチに結合された第２のＨＤＭＩポートを有し、該第２のＨＤＭＩポートを介して、前記着脱可能ＨＤＭＩスイッチを前記テレビ受信機のＨＤＭＩインターフェイスに結合できるようにした、
ことを特徴とする請求項４に記載のテレビ受信機装置。
【請求項６】
前記テレビ装置筐体内に存在するプロセッサをさらに備え、該プロセッサは、前記テレビ受信機筐体内に存在する前記ＨＤＭＩスイッチの動作を制御する、
ことを特徴とする請求項５に記載のテレビ受信機装置。
【請求項７】
前記プロセッサは、前記Ｉ２ＣバスのＤＤＣ信号からＥＤＩＤ情報を取り込み転送する、
ことを特徴とする請求項５に記載のテレビ受信機装置。
【請求項８】
前記プロセッサは、前記テレビ受信機に結合されたＨＤＭＩインターフェイスと前記テレビ受信機筐体内に存在する前記ＨＤＭＩスイッチとの間で前記ＤＤＣ信号を直接受け渡す状態、或いは前記テレビ受信機筐体内に存在する前記ＨＤＭＩスイッチと前記テレビ受信機筐体内に存在する前記ＨＤＭＩスイッチとの間で前記処理されたＨＤＭＩ  ＤＤＣ信号を受け渡す状態のいずれかのスイッチの状態を制御する、
ことを特徴とする請求項７に記載のテレビ受信機装置。
【請求項９】
前記着脱可能ＨＤＭＩスイッチハウジングに取り付けられるとともにユーザがアクセスするために露出された非ＨＤＭＩコネクタをさらに備え、該非ＨＤＭＩコネクタは、インターフェイスを介して前記テレビ受信機に動作可能に結合される、
ことを特徴とする請求項１に記載のテレビ受信機装置。
【請求項１０】
テレビ装置であって、
実質的にテレビ受信機筐体内に存在するテレビ受信機と、
前記テレビ受信機に結合された高品位マルチメディアインターフェイス（ＨＤＭＩ）と、
前記ＨＤＭＩインターフェイスに動作可能に結合されるとともに、少なくとも２つのユーザ側ＨＤＭＩバスが接続する着脱可能ＨＤＭＩスイッチと、
前記少なくとも２つのユーザ側ＨＤＭＩコネクタポートを露出するＨＤＭＩスイッチハウジング内に存在する前記着脱可能ＨＤＭＩスイッチと、
を備え、
前記着脱可能ＨＤＭＩスイッチハウジングを前記テレビ受信機筐体に着脱可能に接続して、前記ＨＤＭＩスイッチハウジングを前記テレビ受信機筐体に取り付けて該テレビ受信機筐体側で使用できるようにするか、或いは前記ＨＤＭＩスイッチハウジングを前記テレビ受信機筐体と分離して、前記ＨＤＭＩスイッチハウジングを前記テレビ受信機筐体から離して置くことにより、前記テレビ装置が前記ＨＤＭＩコネクタポートを選択できると同時に、該ＨＤＭＩコネクタポートに遠隔でアクセスできるようにし、
前記ＨＤＭＩスイッチハウジングが前記テレビ受信機筐体から取り外されている場合、前記着脱可能ＨＤＭＩスイッチを前記テレビ受信機筐体に結合するケーブルと、
前記テレビ受信機ハウジング内に存在する前記テレビ受信機に結合されるとともに、前記テレビ受信機筐体の外部からアクセス可能な少なくとも１つのユーザ側ＨＤＭＩコネクタポートを有するＨＤＭＩスイッチと、
前記テレビ受信機筐体内に存在する前記ＨＤＭＩスイッチの動作を制御する、前記テレビ装置筐体内に存在するプロセッサと、
をさらに備えることを特徴とするテレビ装置。
【請求項１１】
前記ケーブルはＨＤＭＩケーブルを含む、
ことを特徴とする請求項１０に記載のテレビ装置。
【請求項１２】
前記テレビ受信機筐体内に存在する前記ＨＤＭＩスイッチは、前記着脱可能ＨＤＭＩスイッチに結合された第２のＨＤＭＩポートを有し、該第２のＨＤＭＩポートを介して、前記着脱可能ＨＤＭＩスイッチを前記テレビ受信機のＨＤＭＩインターフェイスに結合できるようにした、
ことを特徴とする請求項４に記載のテレビ受信機装置。
【請求項１３】
前記プロセッサは、前記Ｉ２ＣバスのＤＤＣ信号からＥＤＩＤ情報を取り込み転送する、
ことを特徴とする請求項１０に記載のテレビ受信機装置。
【請求項１４】
前記プロセッサは、前記テレビ受信機に結合されたＨＤＭＩインターフェイスと前記テレビ受信機筐体内に存在する前記ＨＤＭＩスイッチとの間で前記ＤＤＣ信号を直接受け渡す状態、或いは前記テレビ受信機筐体内に存在する前記ＨＤＭＩスイッチと前記テレビ受信機筐体内に存在する前記ＨＤＭＩスイッチとの間で前記処理されたＨＤＭＩ  ＤＤＣ信号を受け渡す状態のいずれかのスイッチの状態を制御する、
ことを特徴とする請求項１０に記載のテレビ受信機装置。
【請求項１５】
前記着脱可能ＨＤＭＩスイッチハウジングに取り付けられるとともにユーザがアクセスするために露出された非ＨＤＭＩコネクタをさらに備え、該非ＨＤＭＩコネクタは、インターフェイスを介して前記テレビ受信機に動作可能に結合される、
ことを特徴とする請求項１０に記載のテレビ受信機装置。
【請求項１６】
テレビ装置であって、
実質的にテレビ受信機筐体内に存在するテレビ受信機と、
前記テレビ受信機に結合された、複数の入力ポートから入力を受信するためのインターフェイスと、
前記インターフェイスに動作可能に結合されるとともに、少なくとも２つのユーザ側ポートが接続する着脱可能ポートスイッチと、
を含み、
前記着脱可能ポートスイッチハウジングを前記テレビ受信機筐体に着脱可能に接続して、前記ポートスイッチハウジングを前記テレビ受信機筐体に取り付けて該テレビ受信機筐体側で使用できるようにするか、或いは前記ポートスイッチハウジングを前記テレビ受信機筐体と分離して、前記ポートスイッチハウジングを前記テレビ受信機筐体から離して置くことにより、前記テレビ装置が前記コネクタポートを選択できると同時に、該コネクタポートに遠隔でアクセスできるようにする、
ことを特徴とするテレビ装置。
【請求項１７】
前記着脱可能ポートスイッチを前記テレビ受信機筐体に結合するケーブルをさらに備える、
ことを特徴とする請求項１６に記載のテレビ装置。
【請求項１８】
前記テレビ受信機ハウジング内に存在する前記テレビ受信機に結合されるとともに、前記テレビ受信機筐体の外部からアクセス可能な少なくとも１つのユーザ側コネクタポートを有するポートスイッチをさらに備える、
ことを特徴とする請求項１６に記載のテレビ装置。
【請求項１９】
前記テレビ受信機筐体内に存在する前記ポートスイッチは、前記着脱可能ポートスイッチに結合された第２のポートを有し、該第２ポートを介して前記着脱可能ポートスイッチを前記テレビ受信機のポートインターフェイスに結合できるようにした、
ことを特徴とする請求項１８に記載のテレビ受信機装置。
【請求項２０】
前記テレビ装置筐体内に存在するプロセッサをさらに含み、該プロセッサは、前記テレビ受信機筐体内に存在する前記ポートスイッチの動作を制御する、
ことを特徴とする請求項１９に記載のテレビ受信機装置。
【発明の詳細な説明】
【背景技術】
【０００１】
著作権表示
本特許文書の開示部分は、著作権保護の対象内容を含む。著作権の権利所有者は、合衆国特許商標庁の特許ファイル又は記録内に表されるとおりに特許文書又は特許開示を複製することには異議を唱えないが、それ以外は全ての著作権を留保する。
【０００２】
高品位マルチメディアインターフェイス（ＨＤＭＩ）が、最新のオーディオ／ビデオ（Ａ／Ｖ）娯楽製品にとって最適な接続インターフェイスになってきた。特に、高品位テレビ（ＨＤＴＶ）セットは、複数のビデオソースから入力を受信し制御するために多くのＨＤＭＩ入力を利用することが一般的になってきた。関連するテレビセットトップボックス、デジタルビデオレコーダ（ＤＶＲ、又はパーソナルビデオレコーダ〜ＰＶＲ）、ゲーム機などを家庭向け娯楽キャビネットに隠したままにしながら、フラットパネルＨＤＴＶ受像器を壁に取り付けることがより一般的になってきた。
【発明の概要】
【課題を解決するための手段】
【０００３】
添付の図面と併せて行う以下の詳細な説明を参照することにより、構成及び動作方法を示すいくつかの例示的な実施形態、並びに目的及び利点を最も良く理解することができる。
【図面の簡単な説明】
【０００４】
【図１】本発明のいくつかの実施形態による家庭向け娯楽システムのブロック図である。
【図２】本発明のいくつかの実施形態による着脱可能ＨＤＭＩブロックを備えたテレビを含む家庭向け娯楽システムのブロック図である。
【図３】本発明のいくつかの実施形態による着脱可能ＨＤＭＩブロックを有するテレビ受信機の例示的な実施構成の関連部分を示すブロック図である。
【図４】本発明のいくつかの実施形態による着脱可能ＨＤＭＩブロックを有するテレビ受信機の例示的な実施構成を示す詳細図である。
【図５】本発明のいくつかの実施形態による例示的な着脱可能ＨＤＭＩブロック回路の別の部分を詳述する別の図である。
【図６】本発明のいくつかの実施形態による着脱可能ＨＤＭＩブロックの別の実施構成を示す図である。
【発明を実施するための形態】
【０００５】
本発明は、多くの異なる形の実施形態が可能であるが、図面には特定の実施形態を示すとともに本明細書で詳細に説明しており、このような実施形態の開示は原理の一例として見なすべきであり、図示及び説明する特定の実施形態に本発明を限定することを意図するものではない。以下の説明では、図面のいくつかの図において同じ参照番号を使用して同様の、類似の又は一致する部分について説明する。
【０００６】
本明細書で使用する「１つの（英文不定冠詞）」という用語は、１又は１よりも多い、と定義される。本明細書で使用する「複数の」という用語は、２又は２よりも多い、と定義される。本明細書で使用する「別の」という用語は、少なくとも第２の又はそれ以上の、と定義される。本明細書で使用する「含む（ｉｎｃｌｕｄｉｎｇ）」及び／又は「有する（ｈａｖｉｎｇ）」という用語は、「からなる（ｃｏｍｐｒｉｓｉｎｇ）」（すなわち包括的な用語）と定義される。本明細書で使用する「結合される」という用語は、必ずしも直接的接続、及び、必ずしも機械的接続を定義するものではないが、「接続される」と定義される。本明細書で使用する「プログラム」又は「コンピュータプログラム」という用語又は類似の用語は、コンピュータシステム上での実行を意図された一連の命令であると定義される。「プログラム」又は「コンピュータプログラム」は、実行可能なアプリケーション、アプレット、サーブレット、ソースコード、オブジェクトコード、共用ライブラリ／ダイナミックロードライブラリ、及び／又は、コンピュータシステム上での実行を意図されたその他の一連の命令における、サブルーチン、関数、手順、オブジェクト方法、オブジェクトの実行を含むことができる。
【０００７】
本明細書を通じて、「１つの実施形態」、「いくつかの実施形態」、「ある実施形態」、又は類似の用語についての言及は、実施形態に関連して説明する特定の機能、構造又は特性が、本発明の少なくとも１つの実施形態に含まれることを意味する。従って、本明細書を通じて至るところに出現するこのような語句は、必ずしも全てが同じ実施形態について言及するものではない。さらに、本発明を限定しない１又はそれ以上の実施形態に上記特定の機能、構造又は特性をあらゆる好適な態様で組み込むことができる。
【０００８】
本明細書で使用する「又は」という語は、いずれか１つ又はいずれかの組合せを含み、或いは意味するものとして解釈すべきである。従って、「Ａ，Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、関数、ステップ又は行為の組み合わせが、何らかの方法で本質的に相互に排他的なものである場合にのみ生じる。
【０００９】
前述したように、ＨＤＭＩは、最新のＡ／Ｖ娯楽製品にとって最適な接続インターフェイスになってきた。特に、ＨＤＴＶセットは、複数のビデオソースから入力を受信し制御するために多くのＨＤＭＩ入力を利用することが一般的になってきた。関連するテレビセットトップボックス、デジタルビデオレコーダ（ＤＶＲ、又はパーソナルビデオレコーダ〜ＰＶＲ）、ゲーム機などを家庭向け娯楽キャビネットに隠したままにしながら、フラットパネルＨＤＴＶセットを壁に取り付けることがより一般的になってきた。このような場合、図１に示すように、テレビ（又はディスプレイ）１０を家の壁に吊すことができる。例えば、Ａ／Ｖキャビネット３６などの別の場所に位置するＳＴＢ２４、ＤＶＤ又はその他のビデオディスクプレーヤ２８及びゲーム機３２からテレビ１０に複数の相互接続が行われる場合、電源接続と共に、４０、４４及び４８などの複数の見苦しい配線が、場合によってはテレビ１０へのその他の接続として必要となる。このような配線を壁の中に隠すことが選択肢となり得るが、これは構成をさらに複雑に変化させるものであり、家又はアパートの壁の構造の変更を必要とする。
【００１０】
補修部品市場の外部ＨＤＭＩスイッチを使用して、この問題への対処に役立てることができる。この場合、１つのＨＤＭＩ接続をスイッチ部分において複数の接続に分割することができる。しかしながら、このことは消費者に追加のコストをもたらし、入力間の選択をより複雑にする。多くのテレビでは、ユーザは、テレビリモコンを使用して、テレビで利用可能な様々なＨＤＭＩ接続の中から選択を行うことができ、またこれらの接続に（ゲーム、ＰＶＲなどの）意味のある名前を割り当てることさえもできる。しかしテレビは、一般に工場出荷時にインストール済みのＨＤＭＩ接続間における違いしか認識することができず、ＴＶ外部で単一のＨＤＭＩ入力に切り換えられる２つのＨＤＭＩコネクタ間の違いを区別することはできない。外部ＨＤＭＩスイッチがテレビＨＤＭＩポートに接続されると、スイッチが提供する個々のポートは、テレビにとって同じものに見える。従って、外部スイッチに接続した装置間の切り換えは、（手動などの）別個の制御を使用して行う必要がある。
【００１１】
本発明によるいくつかの例示的な実施構成によれば、テレビの一部として設計されたＨＤＭＩポートのうちの２又はそれ以上をＴＶに取り付けた形で使用し、或いは遠隔ですぐに設置できるように取り外して、必要な追加の配線を最小限に抑えることができる。いずれにせよ、ＴＶメニューシステムが、ＨＤＭＩ入力が接続されているかどうかに関わらずその全てを区別することができる。ユーザが、複数の装置をＴＶに接続したいと思う場合、ユーザは、独自のハウジング内にあるＨＤＭＩ入力部を取り外して、他の装置への接続の多くを都合良く隠すことができる。従って、ＨＤＭＩポートを収容するハウジングは着脱可能であるとともに、このポートに接続された複数の装置に隣接させて置くことができる。これにより、ＴＶ受像器への入り組んだ配線が減り、複数の接続が単一のケーブルに変わる。さらに、通常のＴＶ制御によってＨＤＭＩポートを制御するユーザの能力は決して妨げられることはない。
【００１２】
これについては図２に示しており、この場合、独自のハウジング内の着脱可能ＨＤＭＩブロック５０をテレビ２０から取り外し、単一の接続５４を使用して、テレビ２０を（この実施例では）ＳＴＢ２４、ビデオディスクプレーヤ２８及びゲーム機３２に相互接続することができる。なお、ユーザがすぐに利用できるＨＤＭＩ入力（及び／又は他の入力ポート）をテレビ２０側に設けて、ゲーム機又はビデオカメラなどの装置の一時的な直接接続を容易にすることが依然として望まれる場合もある。
【００１３】
図３は、前述したような着脱可能ＨＤＭＩブロックを利用するテレビ２０の部分の１つの例示的な実施形態を示す図である。この例では、テレビ２０が、２つの恒久的に取り付けたユーザ側ＨＤＭＩポート（１及び２）５８及び５２を保持し、着脱可能ＨＤＭＩブロック５０が、３つのユーザ側ＨＤＭＩポート（３、４及び５）６６、７０及び７４を有する。この実施構成では、１対の３：１ＨＤＭＩスイッチ回路（市販されている集積回路）７８及び８２を使用して、合計５つのユーザ利用可能ポートを構成する。ＨＤＭＩスイッチ回路７８が、テレビ側でユーザが直接アクセスするためのポート５８及び６２を提供し、その第３の出力６６を着脱可能ＨＤＭＩブロック５０に提供する。７８及び８２などのＨＤＭＩスイッチ回路は、複数のポート間（この例では、３つのユーザ側ポートのうちの１つと１つのテレビ側ポートとの間）でＨＤＰ、ＴＤＭＳ及びＤＤＣ信号の切り換えを行う。
【００１４】
着脱可能ＨＤＭＩブロック５０において、出力６６が第２の３：１ＨＤＭＩスイッチ回路８２に供給される。スイッチ回路８２は、テレビ２０に接続されている間、或いは取り外されている間のいずれにおいても着脱可能ＨＤＭＩブロック５０で利用可能な着脱可能ＨＤＭＩブロックのプロセッサ８８の制御下で、このＨＤＭＩ出力６６を３つのＨＤＭＩポート７０、７４、及び７８に分ける。取り外された場合には、別個の「電源ブロック」を使用できるように別個のＡＣ又はＤＣ電力用の電源を使用して電圧調整器８６に給電を行うことができる。或いは、テレビから専用の配線システムを介してＡＣ又はＤＣ電力を制限なく供給することができる。スイッチ回路７８（及びいくつかの実施構成ではスイッチ回路８２）には、テレビの筐体内にある電圧調整器９０により給電を行うことができる。着脱可能ＨＤＭＩブロック内には電圧調整器８６を示しているが、この電圧調整器８６は、テレビの電源から電力が給電される場合は不要となり、或いは着脱可能ＨＤＭＩブロック５０をテレビ２０から取り外している場合は外部接続することができる。
【００１５】
以下でさらに詳述するように、ほぼ標準的なＨＤＭＩバスが、ＨＤＭＩポート５８及び６２へのバス１０４及び１０８などのＨＤＭＩコネクタの各々に信号を供給する。この時点で、この実施形態が２つの３：１スイッチを使用する点に留意することは有益ではあるが、あらゆる他の適当なスイッチ構成も使用できるので、このことを限定的に考えるべきではない。例えば、単一の５：１スイッチを使用して、３つの着脱可能な接続と２つの固定接続という同様の機能を提供することができる。さらに、他の構成では、ＨＤＭＩ入力ポートの全てを着脱可能にしたり、或いは（少なくとも２つの着脱可能と、テレビ側に残る着脱可能でない任意の数などの）その他の組合せを提供したりすることもできる。
【００１６】
この実施構成では、マイクロコントローラなどのプログラムされたプロセッサ１００が、主にＩ２Ｃ（Ｉ２Ｃ）バスを介した通信によりＨＤＭＩスイッチ７８及び８２の動作を監視する。他の実施構成も可能である。いくつかの実施構成によれば、プロセッサ１００は、スイッチ回路を起動し、ポートを設定し、ＥＤＩＤを処理し、さらにＩＣ２制御機能並びにいずれかの他の制御又はＨＤＭＩスイッチに必要な監視機能を提供すべく機能する。テレビは、ＣＥＣオプションを含むＨＤＭＩ仕様で定められるメカニズムによって、３つの取り外したＨＤＭＩポートのうちのいずれをその時々に使用するかが分かる。
【００１７】
あらゆる数の機械的及び電気的方式を使用して、ＨＤＭＩブロック５０をテレビ２０に着脱可能に接続することができる。図示のように、着脱可能ＨＤＭＩブロック５０がテレビ２０に接続されている場合、コネクタ９２、９４及び９６の組を使用して、着脱可能ＨＤＭＩブロック５０をテレビ２０に嵌め込む。着脱可能ＨＤＭＩブロック５０をテレビから取り外した場合、このコネクタシステムは、コネクタＲ９４の代わりに適当なケーブルに部分的に置き換えられる。他の実施形態では、テレビ２０と着脱可能ＨＤＭＩブロック５０との間の全ての接続に格納式の、又は恒久的な、又は着脱可能なケーブルを使用することができる。本教示について考慮する際には、本発明による実施形態から逸脱することなく多くの変形が可能であるとともに、これらの変形が当業者に想起されるであろう。図において、「プラグ」を示すために文字「Ｐ」を使用し、「レセプタクル」を示すために文字「Ｒ」を使用しているが、本発明による実施形態から逸脱することなく、同様の目的を果たすあらゆる他のコネクタ構成を利用することができる。
【００１８】
ここで図４を参照すると、着脱可能ＨＤＭＩブロックを備えたテレビ受信機装置の実施形態の例示的な実施構成をさらに詳細に示している。この例では、実施例をより明確に示すために市販の回路を示すとともにその相互接続についてさらに詳細に示す。なお、この図は、図３の例図と比べて図示し易いように逆になっており、この結果ＨＤＭＩバスには前の図の上部から下部へと逆向きに番号を付けている。ＨＤＭＩバスで受け渡される様々なＨＤＭＩ信号の詳細についてはＨＤＭＩ仕様に文書化されており、本明細書で繰り返す必要はないが、説明を行う場合には、信号を表す標準的な省略形を使用してこのような信号を示す。
【００１９】
この実施構成では、スイッチ７８及び８２には、カリフォルニア州サニーベールのＳｉｌｉｃｏｎ  Ｉｍａｇｅ社から市販されているＳｉＬ９１８５などの３：１ＨＤＭＩスイッチ装置を使用している。図面に示すＨＤＭＩ回路は、ほぼ従来の方法でテレビ受信機にインターフェイス接続されており、（ＨＤＭＩコネクタ自体を使用するわけではないことを示すために）このようなインターフェイスを１１２に示す。ＨＤＭＩバス１１６は、カリフォルニア州ミルピタスのＣａｌｉｆｏｒｎｉａ  Ｍｉｃｒｏ  Ｄｅｖｉｃｅｓ社から市販されているＣＭ２０３０回路などのＨＤＭＩ送信機ポート保護及びインターフェイス装置１２０を通過するバスで示す回路に入力を供給する。レベルシフト、分離、過電流出力保護、及びバックドライブ保護などの機能を提供するために、ＨＤＭＩインターフェイスでは一般にこのような装置を使用する。ＥＥＰＲＯＭへのアクセスを制御するために、この回路では、インターフェイス装置１２０をジャンパーして迂回するようにＨＤＭＩ  ＣＥＣ信号を示しているが、他の実施形態は他の技術を使用して実施することができる。
【００２０】
ＨＤＭＩバス１１６は、インターフェイス装置１２０とＨＤＭＩスイッチ回路７８との間に接続される。図面のＨＤＭＩバス１１６に「×」で示すように、ＨＤＭＩ  ＤＤＣ信号１２４が遮断されスイッチ１２８を通過する。スイッチ１２８は通常開かれており、制御回線１３２を使用してプロセッサ１００の制御下で閉じられる。このスイッチ１２８の動作が、テレビのＨＤＭＩインターフェイスハードウェアにおけるハードウェアＤＣＣ信号１３６を制御し、プロセッサ１００からの置換信号が１４０で供給される。プロセッサは、Ｉ２ＣバスのＤＤＣ信号からＥＤＩＤ情報を取り込み転送する。従って、ＤＤＣ（ディスプレイデータチャネル）信号がプロセッサ１００により受信され、プロセッサ１００で処理されて、任意的な高速動作及び拡張デジタルデータチャネルデータをサポートする。
【００２１】
図示の実施構成では、プロセッサ１００は、ＨＤＭＩスイッチ回路７８の動作を管理するために、ＨＤＭＩスイッチ回路７８のＩ２Ｃバスインターフェイスに接続されたＩ２Ｃバス１４４を使用して動作する。前述したように、この実施構成の場合、例えばカリフォルニア州ミルピタスのＣａｌｉｆｏｒｎｉａ  Ｍｉｃｒｏ  Ｄｅｖｉｃｅｓ社から市販されているＣＭ２０２１装置を使用して実現できるポート保護及びインターフェイス回路１４４及び１４８のそれぞれをバスが通過することを除き、この実施構成では、ＨＤＭＩバス１０４及び１０８がユーザ側ポート５８及び６２に直接提供される。この場合も、前述した同じ理由により、ＣＥＣ回線が個々の場合においてこれらの装置１４４及び１４８をまたいでジャンパーされる。
【００２２】
スイッチ７８から提供されるＨＤＭＩバスの第３のバスが、ケーブル又はコネクタのいずれかを介して着脱可能ＨＤＭＩブロックを駆動する。この図面には示していないが、ノイズを防ぐために、コネクタとＨＤＭＩスイッチとの間に、着脱可能ＨＤＭＩブロックのコネクタ９２及び９６の片側又は両側に必要に応じてポート保護及びインターフェイス回路を設けることができる。
【００２３】
着脱可能ＨＤＭＩブロック５０内では、スイッチ５２がＨＤＭＩバス６６を受け取り、このバスを３つのＨＤＭＩバス出力バス１５４、１５８及び１６２のうちの１つに切り換え、最終的にユーザ側ポート７０、７４及び７８に接続する。バス１５４、１５８及び１６２の各々は、この実施構成における先のポート保護及びインターフェイスバスの形でＣＥＣ回線をジャンパーさせて、ポート保護及びインターフェイス回路１６６、１７０及び１７４を通過する。ＨＤＭＩスイッチ回路８２は、プロセッサ１００がＨＤＭＩスイッチ７８を制御するのと基本的に同じ方法でＩ２Ｃバス１１０を介してプロセッサ８８により制御される。着脱可能ＨＤＭＩブロック外部からのＣＥＣ回線が、コネクタ９２、９４及び９６を経て、スイッチ８２及び出力バスの全てへと通過し、図示のように保護回路１６６、１７０及び１７４をバイパスする。
【００２４】
別の実施構成では、図４の一部として１１２と９６との間に取り外し可能ブロックを実現して、（第３のポートを保護するための適当な回路修正を含む）３つの着脱可能ＨＤＭＩポート接続を提供することができる。例えば４：１スイッチ構成、又は本発明による実施形態から逸脱することなく他の組合せを使用して、より多くの又はより少ないＨＤＭＩポートを備えた他の構成を容易に考案することができる。図５は、明確にするために部分的に分解したＣＥＣ相互接続及びプロセッササポート回路を示す本実施構成のより完全な図を提供するものである。この図面では、インターフェイス１１２及び保護回路１２０からＨＤＭＩスイッチ７８のＣＥＣインターフェイスまでＣＥＣ回線が途切れずに接続され、その後コネクタ９６、９４及び９２を経て着脱可能ＨＤＭＩスイッチ８２へ到達し、ここで図４に示すようにＨＤＭＩスイッチ及び３つのＨＤＭＩバス１５４、１５８及び１６２の各々に受け渡され、これらのそれぞれのユーザ側ポートへと続く。プロセッサ１００からのＩ２Ｃバスもまた、スイッチ７８のＩ２Ｃインターフェイスにインターフェイス接続するが、ＩＣ７８のためのＩ２Ｃ制御はモニター制御のためのベンダー固有のコードにより行われるため、この実施構成では、Ｉ２Ｃバスをコネクタ９６、９４及び９２を介してスイッチ７８に接続する必要はない。ＳｉＬ９１８５は、本発明による実施構成を実現するために使用できる１つの市販のスイッチにすぎず、本発明に限定されるものと考えるべきではない。
【００２５】
例えば、カリフォルニア州サンノゼのＡｔｍｅｌ  Ｃｏｒｐｏｒａｔｉｏｎ社から市販されているＡＴ８９Ｃ５１ＩＤ２などのマイクロコントローラ、又は同様のプロセッサを使用してプロセッサ８８及び１００を実現することができる。プログラミング容量及びデータ記憶容量を供給するために、プロセッサ１００をＥＥＰＲＯＭ１８６などの外部メモリにさらに結合することができる。上述したＡｔｍｅｌマイクロコントローラからのＧＰＩＯ信号を使用して、スイッチ１２８を制御する制御回線１３２を実現することができる。カリフォルニア州サンタクララのＣａｔａｌｙｓｔ  Ｓｅｍｉｃｏｎｄｕｃｔｏｒ，  Ｉｎｃ．から市販されているＣＡＴ２４Ｃ２８ＥＥＰＲＯＭなどのＥＥＰＲＯＭ回路１９０を通じて、プロセッサが生成したＤＤＣ信号１４０を受け渡すことができる。
【００２６】
着脱可能ＨＤＭＩブロック５０内では、スイッチ８２はＥＥＰＲＯＭ１８６に容易にアクセスすることができない。１つの実施構成では、独自の関連するＥＥＰＲＯＭ１４８を有する着脱可能ＨＤＭＩブロック５０のプロセッサ８８を使用することによりこの問題を克服することができる。この実施構成では、プロセッサ８８が、スイッチ７８のＤＤＣ信号１４６に結合されたＩ２Ｃバスを介してＥＥＰＲＯＭ１４８に結合され、疑似ＥＤＩＤを生成する。この場合、プロセッサ８８がＧＰＩＯ信号及びＥＤＩＤデータの転送を通じてスイッチ８２の制御を管理し、従ってプロセッサ１００が着脱可能ＨＤＭＩブロック５０のスイッチ８２を管理する必要はない。ここで図６を参照すると、３つのＨＤＭＩ入力ポート７０、７４及び７８間の切り換えを制御する前述の実施例のように、着脱可能ＨＤＭＩブロック５０が３：１ＨＤＭＩスイッチ８２を組み込む簡略化した実施構成例を示している（図を簡単にするために、ＣＥＣ制御及び入力保護回路の全詳細は省いている）。この例では、ディスプレイ受信機が、Ｉ２Ｃバス及びＧＰＩＯ信号を介して、着脱可能ＨＤＭＩブロックの外部に位置する（関連するサポート回路を備えた）プロセッサ２００の制御下で動作する。ＨＤＭＩブロックの内部にはプロセッサ２５０が置かれ、これがＥＥＰＲＯＭ２５４と協働して動作し、レジスタの設定、ＥＤＩＤデータの転送及びこのような機能を処理する。プロセッサ２００は、Ｉ２Ｃバスを介してディスプレイの受信機２０４にインターフェイス接続され、受信機２０４との間で信号ＴＭＤＳ、ＨＤＰ、ＤＤＣ、ＣＥＣ、及び５ボルトがやりとりされ、コネクタ構成９２、９４及び９６を介して着脱可能ＨＤＭＩブロック５０へ到達する。前述したように、着脱可能ＨＤＭＩブロック５０がテレビ受信機装置から取り外されている場合、テレビ受信機装置は、様々な（この実施例では３つの）ＨＤＭＩ入力を区別することができる。従って、ユーザは、テレビ受信機用のリモートコマンダを介して途切れない態様で入力ソースの選択を容易に制御することができる。電圧調整器８６が設けられ、前述の機能と同じ機能を有する。
【００２７】
ＣＥＣ信号は、コネクタ９２、９４及び９６を経てスイッチ８２のＣＥＣインターフェイスへ到達し、そこからＨＤＭＩ入力ポート７０、７４及び７８へ転送される。プロセッサ２５０は、Ｉ２Ｃバス及びＧＰＩＯ信号の両方を介してスイッチ８２のＣＥＣ：ＧＰＩＯインターフェイスにおいてインターフェイス接続される。着脱可能ＨＤＭＩブロックが取り外されている場合、プロセッサ２００は、プロセッサ２５０に転送されるコネクタを通過したＣＥＣ信号を介して着脱可能ＨＤＭＩスイッチブロック５０を制御し、スイッチ回路８２を制御する。ＣＥＣ制御コマンドの送受信のために、スイッチ８２とプロセッサ２５０との間のＧＰＩＯ相互接続を使用する。上述の機能は、元々テレビで使用するために提案されたものであるが、テレビ受信機を有するいずれの装置、或いはＳＴＢ又はＡ／Ｖスイッチなどの複数のＨＤＭＩ信号の受信に使用するいずれの装置においてもこの機能を実現することができる。さらに、ＨＤＭＩ信号の観点から説明しているが、本発明はこれに限定されるとは限らない。例えばポートに加え、着脱可能ＨＤＭＩスイッチ装置は、ＨＤＭＩ、Ｓ−ビデオ、アナログフォーマット、光学又はその他の非ＨＤＭＩフォーマットのインターフェイスを搬送するための専用ケーブル、及び家庭向け娯楽環境での通信に有用なコネクタを使用して、テレビ受信機装置につなぐことができる他のアナログ又はデジタルフォーマットインターフェイスをさらに組み込むことができる。また、本説明は、ＨＤＭＩ接続、その他の接続を使用することに焦点を当ててきた。
【００２８】
従って、いくつかの例示的な実施構成によれば、テレビ装置が、実質的にテレビ受信機筐体内に存在するテレビ受信機を有する。テレビ受信機には高品位マルチメディアインターフェイス（ＨＤＭＩ）が結合される。ＨＤＭＩインターフェイスには着脱可能ＨＤＭＩスイッチが動作可能に結合され、このＨＤＭＩスイッチには、少なくとも２つのユーザ側ＨＤＭＩバスが接続される。着脱可能ＨＤＭＩスイッチは、少なくとも２つのユーザ側ＨＤＭＩコネクタポートを露出するＨＤＭＩスイッチハウジング内に存在する。着脱可能ＨＤＭＩスイッチハウジングをテレビ受信機筐体に着脱可能に接続して、このＨＤＭＩスイッチハウジングをテレビ受信機筐体に取り付けてテレビ受信機筐体側で使用できるようにするか、或いはＨＤＭＩスイッチハウジングをテレビ受信機筐体と分離して、ＨＤＭＩスイッチハウジングをテレビ受信機筐体から離して置くことにより、テレビ装置がＨＤＭＩコネクタポートを選択できると同時に、ＨＤＭＩコネクタポートに遠隔でアクセスできるようにする。
【００２９】
いくつかの実施構成では、着脱可能ＨＤＭＩスイッチをテレビ受信機筐体にケーブルで結合する。いくつかの実施構成では、このケーブルはＨＤＭＩケーブルを含む。いくつかの実施構成では、テレビ受信機ハウジング内に存在するとともにテレビ受信機筐体の外部からアクセス可能な少なくとも１つのユーザ側ＨＤＭＩコネクタポートを有するテレビ受信機にＨＤＭＩスイッチが結合される。いくつかの実施構成では、テレビ受信機筐体内に存在するＨＤＭＩスイッチが、着脱可能ＨＤＭＩスイッチに結合された第２のＨＤＭＩポートを有し、この第２のＨＤＭＩポートを介して、着脱可能ＨＤＭＩスイッチがテレビ受信機のＨＤＭＩインターフェイスに結合できるようにする。いくつかの実施構成では、テレビ装置筐体内にプロセッサが存在し、このプロセッサが、テレビ受信機筐体内に存在するＨＤＭＩスイッチの動作を制御する。いくつかの実施構成では、プロセッサが、Ｉ２ＣバスのＤＤＣ信号からＥＤＩＤ情報を取り込み転送する。いくつかの実施構成では、プロセッサが、テレビ受信機に結合されたＨＤＭＩインターフェイスとテレビ受信機筐体内に存在するＨＤＭＩスイッチとの間でＤＤＣ信号を直接受け渡す状態、或いはテレビ受信機筐体内に存在するＨＤＭＩスイッチとテレビ受信機筐体内に存在するＨＤＭＩスイッチとの間で処理済みのＨＤＭＩ  ＤＤＣ信号を受け渡す状態のいずれかのスイッチの状態を制御する。いくつかの実施構成では、非ＨＤＭＩコネクタが着脱可能ＨＤＭＩスイッチハウジングに取り付けられるとともにユーザがアクセスするために露出され、この非ＨＤＭＩコネクタは、インターフェイスを介してテレビ受信機に動作可能に結合される。
【００３０】
いくつかの実施構成では、テレビ装置が、実質的にテレビ受信機筐体内に存在するテレビ受信機を有する。テレビ受信機には高品位マルチメディアインターフェイス（ＨＤＭＩ）が結合される。ＨＤＭＩインターフェイスには着脱可能ＨＤＭＩスイッチが動作可能に結合され、このＨＤＭＩスイッチには、少なくとも２つのユーザ側ＨＤＭＩバスが接続される。着脱可能ＨＤＭＩスイッチは、少なくとも２つのユーザ側ＨＤＭＩコネクタポートを露出するＨＤＭＩスイッチハウジング内に存在する。着脱可能ＨＤＭＩスイッチハウジングをテレビ受信機筐体に着脱可能に接続して、このＨＤＭＩスイッチハウジングをテレビ受信機筐体に取り付けてテレビ受信機筐体側で使用できるようにするか、或いはＨＤＭＩスイッチハウジングをテレビ受信機筐体と分離して、ＨＤＭＩスイッチハウジングをテレビ受信機筐体から離して置くことにより、テレビ装置がＨＤＭＩコネクタポートを選択できると同時に、ＨＤＭＩコネクタポートに遠隔でアクセスできるようにする。ＨＤＭＩスイッチハウジングがテレビ受信機筐体から取り外されている場合、着脱可能ＨＤＭＩスイッチはテレビ受信機筐体にケーブルで結合される。ＨＤＭＩスイッチは、テレビ受信機ハウジング内に存在するテレビ受信機に結合されるとともに、テレビ受信機筐体の外部からアクセス可能な少なくとも１つのユーザ側ＨＤＭＩコネクタポートを有する。テレビ装置筐体内にはプロセッサが存在し、このプロセッサが、テレビ受信機筐体内に存在するＨＤＭＩスイッチの動作を制御する。
【００３１】
いくつかの実施構成では、ケーブルがＨＤＭＩケーブルを含む。いくつかの実施構成では、テレビ受信機筐体内に存在するＨＤＭＩスイッチが、着脱可能ＨＤＭＩスイッチに結合された第２のＨＤＭＩポートを有し、この第２のＨＤＭＩポートを介して、着脱可能ＨＤＭＩスイッチがテレビ受信機のＨＤＭＩインターフェイスに結合できるようにする。いくつかの実施構成では、プロセッサが、Ｉ２ＣバスのＤＤＣ信号からＥＤＩＤ情報を取り込み転送する。いくつかの実施構成では、プロセッサが、テレビ受信機に結合されたＨＤＭＩインターフェイスとテレビ受信機筐体内に存在するＨＤＭＩスイッチとの間でＤＤＣ信号を直接受け渡す状態、或いはテレビ受信機筐体内に存在するＨＤＭＩスイッチとテレビ受信機筐体内に存在するＨＤＭＩスイッチとの間で処理済みのＨＤＭＩ  ＤＤＣ信号を受け渡す状態のいずれかのスイッチの状態を制御する。いくつかの実施構成では、非ＨＤＭＩコネクタが着脱可能ＨＤＭＩスイッチハウジングに取り付けられるとともにユーザがアクセスするために露出され、この非ＨＤＭＩコネクタは、インターフェイスを介してテレビ受信機に動作可能に結合される。
【００３２】
他の実施構成では、テレビ装置が、実質的にテレビ受信機筐体内に存在するテレビ受信機を有する。テレビ受信機には、複数の入力ポートから入力を受信するためのインターフェイスが結合される。インターフェイスには着脱可能ポートスイッチが動作可能に結合され、このポートスイッチには、少なくとも２つのユーザ側ポートが接続される。着脱可能ポートスイッチハウジングをテレビ受信機筐体に着脱可能に接続して、このポートスイッチハウジングをテレビ受信機筐体に取り付けてテレビ受信機筐体側で使用できるようにするか、或いはポートスイッチハウジングをテレビ受信機筐体と分離して、ポートスイッチハウジングをテレビ受信機筐体から離して置くことにより、テレビ装置がＨＤＭＩコネクタポートを選択できると同時に、コネクタポートに遠隔でアクセスできるようにする。
【００３３】
いくつかの実施構成では、着脱可能ポートスイッチをテレビ受信機筐体にケーブルで結合する。いくつかの実施構成では、ポートスイッチが、テレビ受信機ハウジング内に存在するとともにテレビ受信機筐体の外部からアクセス可能な少なくとも１つのユーザ側コネクタポートを有するテレビ受信機に結合される。いくつかの実施構成では、テレビ受信機筐体内に存在するポートスイッチが、着脱可能ポートスイッチに結合された第２のポートを有し、この第２のポートを介して、着脱可能ポートスイッチがテレビ受信機のポートインターフェイスに結合できるようにする。いくつかの実施構成では、テレビ装置筐体内にプロセッサが存在し、このプロセッサが、テレビ受信機筐体内に存在するポートスイッチの動作を制御する。
【００３４】
当業者であれば、上記の教示について考慮する際に、上記の例示的な実施形態のいくつかはプログラムされたプロセッサの使用に基づくものであることを認識するであろう。しかしながら、特定用途向けハードウエア及び／又は専用プロセッサなどのハードウェア構成要素の同等物を使用して、他の実施形態を実現することもできるので、本発明はこのような例示的な実施形態のみに限定されるわけではない。同様に、汎用コンピュータ、マイクロプロセッサベースのコンピュータ、マイクロコントローラ、光コンピュータ、アナログコンピュータ、専用プロセッサ、特定用途向け回路及び／又は専用配線で接続された論理回路を使用して、同等の代替実施形態を構成することもできる。
【００３５】
本明細書で説明したいくつかの実施形態は、処理フロー形式で上記大まかに説明したプログラム命令を実行するプログラムされたプロセッサを使用して実現することができ、このプログラム命令をいずれかの適当な電子記憶媒体又はコンピュータ可読記憶媒体に記憶することができる。しかしながら、当業者であれば、本教示について考慮する際に、本発明の実施形態から逸脱することなく、任意の数の変形例の形で、及び多くの適当なプログラム言語で上述の処理を実施できることを理解するであろう。例えば、多くの場合、本発明の特定の実施形態から逸脱することなく、実行するいくつかの動作の順序を変更し、及び追加動作を追加し、或いは処理を削除することができる。本発明のいくつかの実施形態から逸脱することなく、エラー捕捉手段を追加及び／又は拡張することができ、さらにユーザインターフェイス及び情報提示において変更を行うことができる。このような変更は想定されており、同等物であると見なされる。
【００３６】
いくつかの例示的な実施形態について説明したが、上述の説明に照らして多くの代替、修正、置換及び変形が当業者に自明であることは明白である。
【図１】
2010050983.tif 000003
【図２】
2010050983.tif 000004
【図３】
2010050983.tif 000005
【図４】
2010050983.tif 000006
【図５】
2010050983.tif 000007
【図６】
2010050983.tif 000008
【手続補正書】
【提出日】平成21年10月22日(2009.10.22)
【手続補正１】
【補正対象書類名】明細書
【補正対象項目名】００１３
【補正方法】変更
【補正の内容】
【００１３】
図３は、前述したような着脱可能ＨＤＭＩブロックを利用するテレビ２０の部分の１つの例示的な実施形態を示す図である。この例では、テレビ２０が、２つの恒久的に取り付けたユーザ側ＨＤＭＩポート（１及び２）５８及び６２を保持し、着脱可能ＨＤＭＩブロック５０が、３つのユーザ側ＨＤＭＩポート（３、４及び５）７０、７４及び７８を有する。この実施構成では、１対の３：１ＨＤＭＩスイッチ回路（市販されている集積回路）７８及び８２を使用して、合計５つのユーザ利用可能ポートを構成する。ＨＤＭＩスイッチ回路７８が、テレビ側でユーザが直接アクセスするためのポート５８及び６２を提供し、その第３の出力６６を着脱可能ＨＤＭＩブロック５０に提供する。７８及び８２などのＨＤＭＩスイッチ回路は、複数のポート間（この例では、３つのユーザ側ポートのうちの１つと１つのテレビ側ポートとの間）でＨＤＰ、ＴＤＭＳ及びＤＤＣ信号の切り換えを行う。
【手続補正２】
【補正対象書類名】明細書
【補正対象項目名】００２３
【補正方法】変更
【補正の内容】
【００２３】
着脱可能ＨＤＭＩブロック５０内では、スイッチ８２がＨＤＭＩバス６６を受け取り、このバスを３つのＨＤＭＩバス出力バス１５４、１５８及び１６２のうちの１つに切り換え、最終的にユーザ側ポート７０、７４及び７８に接続する。バス１５４、１５８及び１６２の各々は、この実施構成における先のポート保護及びインターフェイスバスの形でＣＥＣ回線をジャンパーさせて、ポート保護及びインターフェイス回路１６６、１７０及び１７４を通過する。ＨＤＭＩスイッチ回路８２は、プロセッサ１００がＨＤＭＩスイッチ７８を制御するのと基本的に同じ方法でＩ２Ｃバス１１０を介してプロセッサ８８により制御される。着脱可能ＨＤＭＩブロック外部からのＣＥＣ回線が、コネクタ９２、９４及び９６を経て、スイッチ８２及び出力バスの全てへと通過し、図示のように保護回路１６６、１７０及び１７４をバイパスする。
【手続補正３】
【補正対象書類名】明細書
【補正対象項目名】００２４
【補正方法】変更
【補正の内容】
【００２４】
別の実施構成では、図４の一部として１１２と９６との間に取り外し可能ブロックを実現して、（第３のポートを保護するための適当な回路修正を含む）３つの着脱可能ＨＤＭＩポート接続を提供することができる。例えば４：１スイッチ構成、又は本発明による実施形態から逸脱することなく他の組合せを使用して、より多くの又はより少ないＨＤＭＩポートを備えた他の構成を容易に考案することができる。図５は、明確にするために部分的に分解したＣＥＣ１８０相互接続及びプロセッササポート回路を示す本実施構成のより完全な図を提供するものである。この図面では、インターフェイス１１２及び保護回路１２０からＨＤＭＩスイッチ７８のＣＥＣインターフェイスまでＣＥＣ回線が途切れずに接続され、その後コネクタ９６、９４及び９２を経て着脱可能ＨＤＭＩスイッチ８２へ到達し、ここで図４に示すようにＨＤＭＩスイッチ及び３つのＨＤＭＩバス１５４、１５８及び１６２の各々に受け渡され、これらのそれぞれのユーザ側ポートへと続く。プロセッサ１００からのＩ２Ｃバスもまた、スイッチ７８のＩ２Ｃインターフェイスにインターフェイス接続するが、ＩＣ７８のためのＩ２Ｃ制御はモニター制御のためのベンダー固有のコードにより行われるため、この実施構成では、Ｉ２Ｃバスをコネクタ９６、９４及び９２を介してスイッチ７８に接続する必要はない。ＳｉＬ９１８５は、本発明による実施構成を実現するために使用できる１つの市販のスイッチにすぎず、本発明に限定されるものと考えるべきではない。
【手続補正４】
【補正対象書類名】明細書
【補正対象項目名】００２５
【補正方法】変更
【補正の内容】
【００２５】
例えば、カリフォルニア州サンノゼのＡｔｍｅｌ  Ｃｏｒｐｏｒａｔｉｏｎ社から市販されているＡＴ８９Ｃ５１ＩＤ２などのマイクロコントローラ、又は同様のプロセッサを使用してプロセッサ８８及び１００を実現することができる。プログラミング容量及びデータ記憶容量を供給するために、プロセッサ１００をＥＥＰＲＯＭ１８６（またＥＥＰＲＯＭ又はＥ２ＰＲＯＭとしても言及される）などの外部メモリにさらに結合することができる。上述したＡｔｍｅｌマイクロコントローラからのＧＰＩＯ信号を使用して、スイッチ１２８を制御する制御回線１３２を実現することができる。カリフォルニア州サンタクララのＣａｔａｌｙｓｔ  Ｓｅｍｉｃｏｎｄｕｃｔｏｒ，  Ｉｎｃ．から市販されているＣＡＴ２４Ｃ２８ＥＥＰＲＯＭなどのＥＥＰＲＯＭ回路１９０を通じて、プロセッサが生成したＤＤＣ信号１４０を受け渡すことができる。
【外国語明細書】
2010050983.tif 000009
2010050983.tif 000010
2010050983.tif 000011
2010050983.tif 000012
2010050983.tif 000013
2010050983.tif 000014
2010050983.tif 000015
2010050983.tif 000016
2010050983.tif 000017
2010050983.tif 000018
2010050983.tif 000019
2010050983.tif 000020
2010050983.tif 000021
2010050983.tif 000022
2010050983.tif 000023
2010050983.tif 000024
2010050983.tif 000025
2010050983.tif 000026
2010050983.tif 000027
2010050983.tif 000028
2010050983.tif 000029
2010050983.tif 000030
2010050983.tif 000031
2010050983.tif 000032